【手続補正書】
【提出日】平成28年7月13日(2016.7.13)
【手続補正１】
【補正対象書類名】特許請求の範囲
【補正対象項目名】全文
【補正方法】変更
【補正の内容】
【特許請求の範囲】
【請求項１】
ハンドヘルド型となるよう適応されたケースと、
単色レーザ・ビームを生成するためのレーザ・ダイオードを含む、前記ケース内のベース組立体であって、それにより、発散するレーザ・ビームが前記ベース組立体から放出される、ベース組立体と、
前記ベース組立体に対して着脱可能に係合することが可能である少なくとも２つのヘッド部組立体であって、それぞれのヘッド部組立体が、
軸方向寸法を有するレンズ・マウント、および
略コヒーレントな最終ビームを作るための、前記レンズ・マウント上のコリメーティング・レンズ
を含む、ヘッド部組立体と
を含む、治療用レーザ装置であって、
前記ヘッド部組立体のうちの第１ヘッド部組立体の前記レンズ・マウントの前記軸方向寸法が、前記ヘッド部組立体のうちの第２ヘッド部組立体の前記レンズ・マウントの前記軸方向寸法と異なり、前記ヘッド部組立体の前記第１ヘッド部組立体の前記コリメーティング・レンズのサイズが、前記ヘッド部組立体のうちの前記第２ヘッド部組立体の前記コリメーティング・レンズのサイズと異なり、
前記少なくとも２つのヘッド部組立体のうちの前記第１ヘッド部組立体が前記ベース組立体と係合するとき、前記第１ヘッド部組立体の前記コリメーティング・レンズが、前記ベース組立体から放出された前記発散するビームを、第１距離においてインターセプトし、前記少なくとも２つのヘッド部組立体のうちの前記第２ヘッド部組立体が前記ベース組立体と係合するとき、前記第２ヘッド部組立体の前記コリメーティング・レンズが、前記ベース組立体から放出された前記発散するビームを、第２距離においてインターセプトし、
前記第１ヘッド部組立体が、前記ベース組立体とともに使用されるとき、横方向ビーム寸法を有する第１最終ビームを作り、前記横方向ビーム寸法が、前記ベース組立体とともに使用されるときに前記第２ヘッド部組立体により作られる第２最終ビームの対応する横方向寸法と異なる、
治療用レーザ装置。
【請求項２】
前記少なくとも２つのヘッド部組立体が、前記ベース組立体に対して相互交換可能である複数のヘッド部組立体を含み、
前記ヘッド部組立体のうちの任意の１つのヘッド部組立体が、前記ベース組立体とともに使用されるとき、放射束を有する実質的にコヒーレントな最終ビームを放出し、前記放射束が、前記ベース組立体とともに使用されるときに前記ヘッド部組立体のうちの任意の他のヘッド部組立体から放出された放射束と異なる、
請求項１に記載の装置。
【請求項３】
前記ベース組立体から放出された前記発散するレーザ・ビームが前記レーザ・ダイオードから直接に放出され、第１発散角度と、前記第１発散角度より大きい第２発散角度とで伝搬し、
前記コリメーティング・レンズが、前記第２発散角度と位置合わせされた大きい方の寸法を有する長方形トロイダル・レンズである、
請求項１に記載の装置。
【請求項４】
前記最終ビームが前記ビームの前記伝搬方向に対して垂直な平面上に細長い照射エリアを形成し、前記照射エリアの長さは前記照射エリアの幅の少なくとも２倍である、請求項１に記載の装置。
【請求項５】
前記ベース組立体が、
前記レーザ・ダイオードから放出された発散する元のビームにおける非点収差を補正し、前記元のビームを修正して略円形のコヒーレント・ビームを作るための、補正レンズと、
前記補正レンズにより作られた前記コヒーレント・ビームから、前記ベース組立体から放出された前記発散するレーザ・ビームを作るための、発散レンズと
をさらに備え、
前記ベース組立体から放出された前記発散するレーザ・ビームが略円形の発散するビームである、
請求項２に記載の装置。
【請求項６】
前記レンズ・マウント上の前記コリメーティング・レンズが略円形の最終ビームを放出する、請求項５に記載の装置。
【請求項７】
調節可能な有効レーザ・アパーチャを有する治療用レーザ装置であって、
ハンドヘルド型となるよう適応されたケースと、
単色レーザ・ビームを生成するためのレーザ・ダイオード、
前記レーザ・ダイオードから放出された発散する元のビームを修正してビーム非点収差を補正し、略円形のコヒーレント・ビームを作るための補正レンズ、および
前記補正レンズにより作られた前記コヒーレント・ビームから、前記ベース組立体から放出された前記発散するレーザ・ビームを作るための発散レンズであって、前記ベース組立体から放出された前記発散するレーザ・ビームが略円形である、発散レンズ
を含む、前記ケース内のベース組立体と、
前記ベース組立体に対して着脱可能に係合することができ、且つ前記ベース組立体に対して相互交換可能である、複数のヘッド部組立体であって、それぞれのヘッド部組立体が、
軸方向寸法を有するレンズ・マウント、および
実質的にコヒーレントな最終ビームを作るための、前記レンズ・マウント上のコリメーティング・レンズ
を含む、ヘッド部組立体と
を含み、
前記ヘッド部組立体のうちの第１ヘッド部組立体の前記レンズ・マウントの前記軸方向寸法が、前記ヘッド部組立体のうちの第２ヘッド部組立体の前記レンズ・マウントの前記軸方向寸法と異なり、前記ヘッド部組立体の前記第１ヘッド部組立体の前記コリメーティング・レンズのサイズが、前記ヘッド部組立体のうちの前記第２ヘッド部組立体の前記コリメーティング・レンズのサイズと異なり、
前記少なくとも２つのヘッド部組立体のうちの前記第１ヘッド部組立体が前記ベース組立体と係合するとき、前記第１ヘッド部組立体の前記コリメーティング・レンズが、前記ベース組立体から放出された実質的に全部の前記発散するビームを、第１距離においてインターセプトし、前記少なくとも２つのヘッド部組立体のうちの前記第２ヘッド部組立体が前記ベース組立体と係合するとき、前記第２ヘッド部組立体の前記コリメーティング・レンズが、前記ベース組立体から放出された実質的に全部の前記発散するビームを、第２距離においてインターセプトし、
前記ヘッド部組立体のうちの任意の１つのヘッド部組立体が、前記ベース組立体とともに使用されるとき、放射束を有する実質的にコヒーレントな最終ビームを放出し、前記放射束が、前記ベース組立体とともに使用されるときに前記ヘッド部組立体のうちの任意の他のヘッド部組立体から放出された放射束と異なる、
治療用レーザ装置。
【請求項８】
ハンドヘルド型となるよう適応されたケースと、
単色レーザ・ビームを生成するためのレーザ・ダイオードを含む、前記ケース内のベース組立体であって、それにより、発散するレーザ・ビームが前記ベース組立体から放出される、ベース組立体と、
前記ベース組立体に対して着脱可能に係合することが可能である少なくとも２つのヘッド部組立体であって、それぞれのヘッド部組立体が、
軸方向寸法を有するレンズ・マウント、および
実質的にコヒーレントな最終ビームを作るための、前記レンズ・マウント上のコリメーティング・レンズであって、前記最終ビームは前記ビームの伝搬方向に対して垂直な平面上に細長い照射エリアを画成し、前記照射エリアの長さは前記照射エリアの幅のサイズの少なくとも２倍である、コリメーティング・レンズ
を含む、ヘッド部組立体と
を含む、治療用レーザ装置であって、
前記ヘッド部組立体のうちの第１ヘッド部組立体の前記レンズ・マウントの前記軸方向寸法が、前記ヘッド部組立体のうちの第２ヘッド部組立体の前記レンズ・マウントの前記軸方向寸法と異なり、前記ヘッド部組立体の前記第１ヘッド部組立体の前記コリメーティング・レンズのサイズが、前記ヘッド部組立体のうちの前記第２ヘッド部組立体の前記コリメーティング・レンズのサイズと異なり、
前記少なくとも２つのヘッド部組立体のうちの前記第１ヘッド部組立体が前記ベース組立体と係合するとき、前記第１ヘッド部組立体の前記コリメーティング・レンズが、前記ベース組立体から放出された前記発散するビームを、第１距離においてインターセプトし、前記少なくとも２つのヘッド部組立体のうちの前記第２ヘッド部組立体が前記ベース組立体と係合するとき、前記第２ヘッド部組立体の前記コリメーティング・レンズが、前記ベース組立体から放出された前記発散するビームを、第２距離においてインターセプトし、
前記第１ヘッド部組立体が、前記ベース組立体とともに使用されるとき、横方向ビーム寸法を有する第１最終ビームを作り、前記横方向ビーム寸法は、前記ベース組立体とともに使用されるときに前記第２ヘッド部組立体により作られる第２最終ビームの対応する横方向寸法と異なる、
治療用レーザ装置。
【請求項９】
前記少なくとも２つのヘッド部組立体が、前記ベース組立体に対して相互交換可能である複数のヘッド部組立体を含み、
前記ヘッド部組立体のうちの任意の１つのヘッド部組立体が、前記ベース組立体とともに使用されるとき、放射束を有する実質的にコヒーレントな最終ビームを放出し、前記放射束が、前記ベース組立体とともに使用されるときに前記ヘッド部組立体のうちの任意の他のヘッド部組立体から放出された放射束と異なる、
請求項８に記載の装置。
【請求項１０】
前記ベース組立体から放出された前記発散するレーザ・ビームが前記レーザ・ダイオードから直接に放出され、第１発散角度と、前記第１発散角度より大きい第２発散角度と、で伝搬し、
前記コリメーティング・レンズが、前記第２発散角度と位置合わせされた大きい方の寸法を有する長方形トロイダル・レンズである、
請求項８に記載の装置。